(57)【特許請求の範囲】
【請求項１】
一般セルを管理する一般基地局と、前記一般セルのカバーエリアよりも狭いカバーエリアを有する特定セルを管理する特定基地局とを含む移動通信システムに適用される移動通信方法であって、
前記一般基地局が、前記特定基地局に対して、前記一般セルにおいてコネクティッド状態の移動端末である一般移動端末に対して割り当てる上りリンク無線リソースを示すスケジューリング情報を通知するステップと、
前記一般基地局が、前記特定基地局から、前記一般移動端末から送信される上りリンク信号によって前記特定セルが受ける干渉を示す一般移動端末干渉情報を取得するステップであって、前記一般移動端末干渉情報は、前記特定セルに干渉を与える前記一般移動端末の識別子を含む、ステップと、
前記一般基地局が、前記識別子によって識別される前記一般移動端末に対して、前記特定セルで用いる周波数とは異なる周波数へのハンドオーバを指示するステップと、
を備えることを特徴とする移動通信方法。
【請求項２】
一般セルを管理する一般基地局と、前記一般セルのカバーエリアよりも狭いカバーエリアを有する特定セルを管理する特定基地局とを含む移動通信システムに適用される移動通信方法であって、
前記一般基地局が、前記特定基地局に対して、前記一般セルにおいてコネクティッド状態の移動端末である一般移動端末に対して割り当てる上りリンク無線リソースを示すスケジューリング情報を通知するステップと、
前記一般基地局が、前記特定基地局から、前記一般移動端末から送信される上りリンク信号によって前記特定セルが受ける干渉を示す一般移動端末干渉情報を取得するステップであって、前記一般移動端末干渉情報は、前記特定セルに干渉を与える前記一般移動端末の識別子を含む、ステップと、
前記一般基地局が、第１所定時間の時間間隔に対応する前記一般移動端末干渉情報に含まれる識別子によって識別される前記一般移動端末に対して、前記第１所定時間の時間間隔よりも後の第２所定時間の時間間隔に含まれる複数の単位時間において同じ上りリンク無線リソースを割り当てるステップと、
前記一般基地局が、前記第２所定時間の時間間隔に対応する前記一般移動端末干渉情報に含まれる識別子によって識別される前記一般移動端末に対して、前記特定セルで用いる周波数とは異なる周波数へのハンドオーバを指示するステップと、
を備えることを特徴とする移動通信方法。
【請求項３】
一般セルを管理する第１の基地局と、前記一般セルのカバーエリアよりも狭いカバーエリアを有する特定セルを管理する第２の基地局とを含む移動通信システムにおける前記第１の基地局であって、
前記第２の基地局に対して、前記一般セルにおいてコネクティッド状態の移動端末である一般移動端末に対して割り当てる上りリンク無線リソースを示すスケジューリング情報を通知する処理と、
前記第２の基地局から、前記一般移動端末から送信される上りリンク信号によって前記特定セルが受ける干渉を示す一般移動端末干渉情報を取得する処理であって、前記一般移動端末干渉情報は、前記特定セルに干渉を与える前記一般移動端末の識別子を含む、処理と、
前記識別子によって識別される前記一般移動端末に対して、前記特定セルで用いる周波数とは異なる周波数へのハンドオーバを指示する処理と、
を実行する制御部を備えることを特徴とする第１の基地局。
【請求項４】
一般セルを管理する第１の基地局と、前記一般セルのカバーエリアよりも狭いカバーエリアを有する特定セルを管理する第２の基地局とを含む移動通信システムにおける前記第１の基地局であって、
前記第２の基地局に対して、前記一般セルにおいてコネクティッド状態の移動端末である一般移動端末に対して割り当てる上りリンク無線リソースを示すスケジューリング情報を通知する処理と、
前記第２の基地局から、前記一般移動端末から送信される上りリンク信号によって前記特定セルが受ける干渉を示す一般移動端末干渉情報を取得する処理であって、前記一般移動端末干渉情報は、前記特定セルに干渉を与える前記一般移動端末の識別子を含む、処理と、
第１所定時間の時間間隔に対応する前記一般移動端末干渉情報に含まれる識別子によって識別される前記一般移動端末に対して、前記第１所定時間の時間間隔よりも後の第２所定時間の時間間隔に含まれる複数の単位時間において同じ上りリンク無線リソースを割り当てる処理と、
前記第２所定時間の時間間隔に対応する前記一般移動端末干渉情報に含まれる識別子によって識別される前記一般移動端末に対して、前記特定セルで用いる周波数とは異なる周波数へのハンドオーバを指示する処理と、
を実行する制御部備えることを特徴とする第１の基地局。
【発明の詳細な説明】
【技術分野】
【０００１】
本発明は、一般セル及び特定セルが混在する移動通信システムに適用される移動通信方法に関する。
【背景技術】
【０００２】
近年、ＬＴＥ（Ｌｏｎｇ  Ｔｅｒｍ  Ｅｖｏｌｕｔｉｏｎ）などの次世代移動通信システムが提案されている。【０００３】
ところで、移動通信システムでは、カバーエリアが異なる複数種類のセル（例えば、一般セル及び特定セル）の混在が想定される。一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。【０００４】
ここで、特定セルのカバーエリアは、一般セルのカバーエリア内に存在することが考えられる。このようなケースでは、一般セルにおいてアイドル状態又はコネクティッド状態である移動端末（以下、一般移動端末）から送信される上り方向信号が特定セルに対して干渉を与えることが考えられる。【０００５】
しかしながら、一般セルは、特定セルに干渉を与える一般移動端末を特定することができない。従って、特定セルから一般セルに対して干渉が生じている旨を示す信号（例えば、ＯＩ：Ｏｖｅｒｌｏａｄ  Ｉｎｄｉｃａｔｏｒ）が送信されても、一般セルは、特定セルが受ける干渉を解消することができない。
【先行技術文献】
【非特許文献】
【０００６】
【非特許文献１】３ＧＰＰ  ＴＳ３６．３００  Ｖ９．４．０
【発明の概要】
【０００７】
第１の特徴に係る移動通信方法は、一般セルを管理する一般基地局と、前記一般セルのカバーエリアよりも狭いカバーエリアを有する特定セルを管理する特定基地局とを含む移動通信システムに適用される。移動通信方法は、前記一般基地局から前記特定基地局に対して、前記一般セルにおいてコネクティッド状態の移動端末である一般移動端末に対して所定時間の時間間隔において割り当てる上りリンク無線リソースを示すスケジューリング情報を通知するステップＡと、前記特定基地局から前記一般基地局に対して、前記所定時間の時間間隔において前記一般移動端末から送信される上りリンク信号によって前記特定セルが受ける干渉を示す一般移動端末干渉情報を通知するステップＢとを備える。
【０００８】
第１の特徴において、移動通信方法は、前記特定基地局から前記一般基地局に対して、前記特定セルにおいて干渉が生じている旨を示す干渉情報を送信するステップＣを備える。前記ステップＡにおいて、前記一般基地局から前記特定基地局に対して、前記干渉レポートに応じて、前記スケジューリング情報を通知する。
【０００９】
第１の特徴において、前記一般移動端末干渉情報は、前記所定時間の時間間隔において前記特定セルが干渉を受けているか否かを示す情報と、前記所定時間の時間間隔において前記特定セルに干渉を与える前記一般移動端末の数及び前記所定時間の時間間隔において前記特定セルに干渉を与える前記一般移動端末を識別する識別子とののうち、いずれか一方を含む。
【００１０】
第１の特徴において、前記一般移動端末干渉情報は、前記所定時間の時間間隔において前記特定セルに干渉を与える前記一般移動端末の識別子を含む。移動通信方法は、前記一般基地局から、前記一般移動端末干渉情報に含まれる識別子によって識別される前記一般移動端末に対して、前記特定セルで用いる周波数とは異なる周波数へのハンドオーバを指示するステップＤを備える。
【００１１】
第１の特徴において、前記一般移動端末干渉情報は、前記所定時間の時間間隔において前記特定セルに干渉を与える前記一般移動端末の識別子を含む。前記所定時間の時間間隔は、前記一般移動端末に上りリンク無線リソースを割り当てるべき複数の単位時間を含む。前記所定時間の時間間隔として、第１所定時間の時間間隔が設定されるとともに、前記所定時間の時間間隔よりも後に第２所定時間の時間間隔が設定される。移動通信方法は、前記一般基地局は、前記第１所定時間の時間間隔に対応する前記一般移動端末干渉情報に含まれる識別子によって識別される前記一般移動端末に対して、前記第２所定時間の時間間隔に含まれる前記複数の単位時間において同じ上りリンク無線リソースを割り当てるステップＥと、前記一般基地局から、前記第２所定時間の時間間隔に対応する前記一般移動端末干渉情報に含まれる識別子によって識別される前記一般移動端末に対して、前記特定セルで用いる周波数とは異なる周波数へのハンドオーバを指示するステップＦとを備える。
【図面の簡単な説明】
【００１２】
【図１】図１は、第１実施形態に係る移動通信システム１００を示す図である。
【図２】図２は、第１実施形態に係る無線フレームを示す図である。
【図３】図３は、第１実施形態に係る無線リソースを示す図である。
【図４】図４は、第１実施形態に係る適用ケースを示す図である。
【図５】図５は、第１実施形態に係るＭＵＥ干渉情報を示す図である。
【図６】図６は、第１実施形態に係るＭｅＮＢ１１０Ａを示すブロック図である。
【図７】図７は、第１実施形態に係るＨｅＮＢ１１０Ｂを示すブロック図である。
【図８】図８は、第１実施形態に係る移動通信システム１００の動作を示すシーケンス図である。
【図９】図９は、第１実施形態に係るＨｅＮＢ１１０Ｂの動作を示すフロー図である。
【図１０】図１０は、第１実施形態に係るＭｅＮＢ１１０Ａの動作を示すフロー図である。
【発明を実施するための形態】
【００１３】
以下において、本発明の実施形態に係る移動通信システムについて、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［実施形態の概要］
実施形態に係る移動通信方法は、一般セルを管理する一般基地局と、前記一般セルのカバーエリアよりも狭いカバーエリアを有する特定セルを管理する特定基地局とを含む移動通信システムに適用される。移動通信方法は、前記一般基地局から前記特定基地局に対して、前記一般セルにおいてコネクティッド状態の移動端末である一般移動端末に対して所定時間の時間間隔において割り当てる上りリンク無線リソースを示すスケジューリング情報を通知するステップＡと、前記特定基地局から前記一般基地局に対して、前記所定時間の時間間隔において前記一般移動端末から送信される上りリンク信号によって前記特定セルが受ける干渉を示す一般移動端末干渉情報を通知するステップＢとを備える。
【００１６】
実施形態では、特定基地局は、一般基地局から受信するスケジューリング情報を参照して、所定時間の時間間隔において特定セルが受ける干渉の干渉源（一般移動端末）を特定することができる。また、一般基地局は、特定基地局から受信する一般移動端末干渉情報によって、所定時間の時間間隔において特定セルに与える干渉の干渉源（一般移動端末）を特定することができる。
【００１７】
なお、所定時間の時間間隔は、例えば、１のサブフレームである。或いは、所定時間の時間間隔は、例えば、２以上のサブフレームであってもよい。
【００１８】
［第１実施形態］
（移動通信システム）
以下において、第１実施形態に係る移動通信システムについて説明する。図１は、第１実施形態に係る移動通信システム１００を示す図である。
【００１９】
図１に示すように、移動通信システム１００は、無線端末１０（以下、ＵＥ１０）と、コアネットワーク５０とを含む。また、移動通信システム１００は、第１通信システムと第２通信システムとを含む。
【００２０】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局１１０Ａ（以下、ＭｅＮＢ１１０Ａ）と、ホーム基地局１１０Ｂ（以下、ＨｅＮＢ１１０Ｂ）と、ホーム基地局ゲートウェイ１２０Ｂ（以下、ＨｅＮＢ−ＧＷ１２０Ｂ）と、ＭＭＥ１３０とを有する。
【００２１】
なお、第１通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭｅＮＢ１１０Ａ、ＨｅＮＢ１１０Ｂ及びＨｅＮＢ−ＧＷ１２０Ｂによって構成される。
【００２２】
第２通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第２通信システムは、基地局２１０Ａ（以下、ＭＮＢ２１０Ａ）と、ホーム基地局２１０Ｂ（以下、ＨＮＢ２１０Ｂ）と、ＲＮＣ２２０Ａと、ホーム基地局ゲートウェイ２２０Ｂ（以下、ＨＮＢ−ＧＷ２２０Ｂ）と、ＳＧＳＮ２３０とを有する。
【００２３】
なお、第２通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＭＮＢ２１０Ａ、ＨＮＢ２１０Ｂ、ＲＮＣ２２０Ａ、ＨＮＢ−ＧＷ２２０Ｂによって構成される。
【００２４】
ＵＥ１０は、第２通信システム或いは第１通信システムと通信を行うように構成された装置（Ｕｓｅｒ  Ｅｑｕｉｐｍｅｎｔ）である。例えば、ＵＥ１０は、ＭｅＮＢ１１０Ａ及びＨｅＮＢ１１０Ｂと無線通信を行う機能を有する。或いは、ＵＥ１０は、ＭＮＢ２１０Ａ及びＨＮＢ２１０Ｂと無線通信を行う機能を有する。
【００２５】
ＭｅＮＢ１１０Ａは、一般セル１１１Ａを管理しており、一般セル１１１Ａに存在するＵＥ１０と無線通信を行う装置（ｅｖｏｌｖｅｄ  ＮｏｄｅＢ）である。
【００２６】
ＨｅＮＢ１１０Ｂは、特定セル１１１Ｂを管理しており、特定セル１１１Ｂに存在するＵＥ１０と無線通信を行う装置（Ｈｏｍｅ  ｅｖｏｌｖｅｄ  ＮｏｄｅＢ）である。
【００２７】
ＨｅＮＢ−ＧＷ１２０Ｂは、ＨｅＮＢ１１０Ｂに接続されており、ＨｅＮＢ１１０Ｂを管理する装置（Ｈｏｍｅ  ｅｖｏｌｖｅｄ  ＮｏｄｅＢ  Ｇａｔｅｗａｙ）である。
【００２８】
ＭＭＥ１３０は、ＭｅＮＢ１１０Ａと接続されており、ＭｅＮＢ１１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ１３０は、ＨｅＮＢ−ＧＷ１２０Ｂを介してＨｅＮＢ１１０Ｂと接続されており、ＨｅＮＢ１１０Ｂと無線接続を設定しているＵＥ１０の移動性を管理する装置である。
【００２９】
ＭＮＢ２１０Ａは、一般セル２１１Ａを管理しており、一般セル２１１Ａに存在するＵＥ１０と無線通信を行う装置（ＮｏｄｅＢ）である。
【００３０】
ＨＮＢ２１０Ｂは、特定セル２１１Ｂを管理しており、特定セル２１１Ｂに存在するＵＥ１０と無線通信を行う装置（Ｈｏｍｅ  ＮｏｄｅＢ）である。
【００３１】
ＲＮＣ２２０Ａは、ＭＮＢ２１０Ａに接続されており、一般セル２１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３２】
ＨＮＢ−ＧＷ２２０Ｂは、ＨＮＢ２１０Ｂに接続されており、特定セル２１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３３】
ＳＧＳＮ２３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ２３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３４】
なお、一般セル及び特定セルは、ＵＥ１０と無線通信を行う機能として理解すべきである。但し、一般セル及び特定セルは、セルのカバーエリアを示す用語としても用いられる。また、一般セル及び特定セルなどのセルは、セルで用いられる周波数、拡散コード又はタイムスロットなどによって識別される。
【００３５】
ここで、一般セルのカバーエリアは、特定セルのカバーエリアよりも広い。一般セルは、例えば、通信事業者によって提供されるマクロセルである。特定セルは、例えば、通信事業者以外の第三者によって提供されるフェムトセル又はホームセルである。但し、特定セルは、通信事業者によって提供されるＣＳＧ（Ｃｌｏｓｅｄ  Ｓｕｂｓｃｒｉｂｅｒ  Ｇｒｏｕｐ）セル又はピコセルであってもよい。
【００３６】
なお、以下においては、第１通信システムについて主として説明する。但し、以下の記載が第２通信システムに適用されてもよい。
【００３７】
ここで、第１通信システムでは、下り方向の多重方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が用いられており、上り方向の多重方式として、ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式が用いられる。
【００３８】
また、第１通信システムでは、上り方向のチャネルとして、上り方向制御チャネル（ＰＵＣＣＨ；Ｐｈｙｓｉｃａｌ  Ｕｐｌｉｎｋ  Ｃｏｎｔｒｏｌ  Ｃｈａｎｎｅｌ）及び上り方向共有チャネル（ＰＵＳＣＨ；Ｐｈｙｓｉｃａｌ  Ｕｐｌｉｎｋ  Ｓｈａｒｅｄ  Ｃｈａｎｎｅｌ）などが存在する。また、下り方向のチャネルとして、下り方向制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）及び下り方向共有チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが存在する。
【００３９】
上り方向制御チャネルは、制御信号を搬送するチャネルである。制御信号は、例えば、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫなどである。
【００４０】
ＣＱＩは、下り方向の伝送に使用すべき推奨変調方式と符号化速度を通知する信号である。ＰＭＩは、下り方向の伝送の為に使用することが望ましいプリコーダマトリックスを示す信号である。ＲＩは、下り方向の伝送に使用すべきレイヤ数（ストリーム数）を示す信号である。ＳＲは、上り方向無線リソース（後述するリソースブロック）の割当てを要求する信号である。ＡＣＫ／ＮＡＣＫは、下り方向のチャネル（例えば、ＰＤＳＣＨ）を介して送信される信号を受信できたか否かを示す信号である。
【００４１】
上り方向共有チャネルは、制御信号（上述した制御信号を含む）又は／及びデータ信号を搬送するチャネルである。例えば、上り方向無線リソースは、データ信号にのみ割当てられてもよく、データ信号及び制御信号が多重されるように割当てられてもよい。
【００４２】
下り方向制御チャネルは、制御信号を搬送するチャネルである。制御信号は、例えば、Ｕｐｌｉｎｋ  ＳＩ（Ｓｃｈｅｄｕｌｉｎｇ  Ｉｎｆｏｒｍａｔｉｏｎ）、Ｄｏｗｎｌｉｎｋ  ＳＩ（Ｓｃｈｅｄｕｌｉｎｇ  Ｉｎｆｏｒｍａｔｉｏｎ）、ＴＰＣビットである。
【００４３】
Ｕｐｌｉｎｋ  ＳＩは、上り方向無線リソースの割当てを示す信号である。Ｄｏｗｎｌｉｎｋ  ＳＩは、下り方向無線リソースの割当てを示す信号である。ＴＰＣビットは、上り方向のチャネルを介して送信される信号の電力の増減を指示する信号である。
【００４４】
下り方向共有チャネルは、制御信号又は／及びデータ信号を搬送するチャネルである。例えば、下り方向無線リソースは、データ信号にのみ割当てられてもよく、データ信号及び制御信号が多重されるように割当てられてもよい。
【００４５】
なお、下り方向共有チャネルを介して送信される制御信号としては、ＴＡ（Ｔｉｍｉｎｇ  Ａｄｖａｎｃｅ）が挙げられる。ＴＡは、ＵＥ１０とＭｅＮＢ１１０Ａとの間の送信タイミング補正情報であり、ＵＥ１０から送信される上り方向信号に基づいてＭｅＮＢ１１０Ａによって測定される。
【００４６】
また、下り方向制御チャネル（ＰＤＣＣＨ）、下り方向共有チャネル（ＰＤＳＣＨ）以外のチャネルを介して送信される制御信号としては、ＡＣＫ／ＮＡＣＫが挙げられる。ＡＣＫ／ＮＡＣＫは、上り方向のチャネル（例えば、ＰＵＳＣＨ）を介して送信される信号を受信できたか否かを示す信号である。
【００４７】
なお、一般セル及び特定セルは、報知チャネル（ＢＣＣＨ；Ｂｒｏａｄｃａｓｔ  Ｃｏｎｔｒｏｌ  Ｃｈａｎｎｅｌ）を介して報知情報を報知する。報知情報は、例えば、ＭＩＢ（Ｍａｓｔｅｒ  Ｉｎｆｏｒｍａｔｉｏｎ  Ｂｌｏｃｋ）やＳＩＢ（Ｓｙｓｔｅｍ  Ｉｎｆｏｒｍａｔｉｏｎ  Ｂｌｏｃｋ）などの情報である。
【００４８】
（無線フレーム）
以下において、第１通信システムにおける無線フレームについて説明する。図２は、第１通信システムにおける無線フレームを示す図である。
【００４９】
図２に示すように、１つの無線フレームは、１０のサブフレームによって構成されており、１つのサブフレームは、２つのスロットによって構成される。１つのスロットの時間長は、０．５ｍｓｅｃであり、１つのサブフレームの時間長は、１ｍｓｅｃであり、１つの無線フレームの時間長は、１０ｍｓｅｃである。
【００５０】
なお、１つのスロットは、下り方向において、複数のＯＦＤＭシンボル（例えば、６つのＯＦＤＭシンボル或いは７つのＯＦＤＭシンボル）によって構成される。同様に、１つのスロットは、上り方向において、複数のＳＣ−ＦＤＭＡシンボル（例えば、６つのＳＣ−ＦＤＭＡシンボル或いは７つのＳＣ−ＦＤＭＡシンボル）によって構成される。
【００５１】
（無線リソース）
以下において、第１通信システムにおける無線リソースについて説明する。図３は、第１通信システムにおける無線リソースを示す図である。
【００５２】
図３に示すように、無線リソースは、周波数軸及び時間軸によって定義される。周波数は、複数のサブキャリアによって構成されており、所定数のサブキャリア（１２のサブキャリア）を纏めてリソースブロック（ＲＢ：Ｒｅｓｏｕｒｃｅ  Ｂｌｏｃｋ）と称する。時間は、上述したように、ＯＦＤＭシンボル（又は、ＳＣ−ＦＤＭＡシンボル）、スロット、サブフレーム、無線フレームなどの単位を有する。
【００５３】
ここで、無線リソースは、１リソースブロック毎に割当て可能である。また、周波数軸及び時間軸上において、複数のユーザ（例えば、ユーザ＃１〜ユーザ＃５）に対して分割して無線リソースを割当てることが可能である。
【００５４】
また、無線リソースは、ＭｅＮＢ１１０Ａによって割当てられる。ＭｅＮＢ１１０Ａは、ＣＱＩ、ＰＭＩ、ＲＩなどに基づいて、各ＵＥ１０に割当てられる。
【００５５】
（適用シーン）
以下において、第１実施形態に係る適用シーンについて説明する。図４は、第１実施形態に係る適用シーンを説明するための図である。ここでは、一般セルを管理する一般基地局として、ＭｅＮＢ１１０Ａを例示して、特定セルを管理する特定基地局として、ＨｅＮＢ１１０Ｂを例示する。
【００５６】
また、一般セル１１１Ａにおいてコネクティッド状態のＵＥ１０（以下、ＭＵＥと称する）として、ＭＵＥ１０Ａを例示する。特定セル１１１Ｂにおいてコネクティッド状態のＵＥ１０（以下、ＨＵＥと称する）として、ＨＵＥ１０Ｂを例示する。
【００５７】
図４に示すように、ＭＵＥ１０ＡからＭｅＮＢ１１０Ａに送信される上りリンク信号は、ＭＵＥ１０Ａの位置によっては、ＨＵＥ１０ＢからＭｅＮＢ１１０Ａに送信される上りリンク信号に干渉する。
【００５８】
ＨｅＮＢ１１０Ｂは、ＭＵＥ１０Ａが一般セル１１１Ａにおいてコネクティッドであるため、特定セル１１１Ｂに干渉を与えるＭＵＥ１０Ａを特定することができない。また、特定セル１１１Ｂに干渉を与えるＭＵＥ１０Ａは、特定セル１１１Ｂからの下りリンク信号を受信できていないため、自身が特定セル１１１Ｂの上りリンク信号へ干渉を与えていることを知らない。そのため、従来の手順では、ＭｅＮＢ１１０Ａは、特定セル１１１Ｂに干渉を与えるＭＵＥ１０Ａを特定することができない。
【００５９】
但し、従来の手順においても、ＨｅＮＢ１１０Ｂは、ＭｅＮＢ１１０Ａに対して、特定セル１１１Ｂにおいて干渉が生じている旨を示す干渉レポート（ＯＩ：Ｏｖｅｒｌｏａｄ Ｉｎｄｉｃａｔｏｒ）を送信することは可能である。例えば、干渉レポートは、リソースブロック毎に干渉が生じているか否かを示す。或いは、干渉レポートは、リソースブロック毎に生じている干渉のレベルを示す。
【００６０】
これに対して、第１実施形態では、ＭｅＮＢ１１０Ａは、ＨｅＮＢ１１０Ｂに対して、ＭＵＥ（例えば、ＭＵＥ１０Ａ）に対して時間Ｔの時間間隔において割り当てる上りリンク無線リソースを示すスケジューリング情報を通知する。
【００６１】
スケジューリング情報は、時間Ｔの時間間隔においてリソースブロック毎に割り当てられた上りリンク無線リソースを含む。
【００６２】
ＨｅＮＢ１１０Ｂは、ＭｅＮＢ１１０Ａに対して、時間Ｔの時間間隔においてＭＵＥ（例えば、ＭＵＥ１０Ａ）から送信される上りリンク信号によって特定セル１１１Ｂが受ける干渉を示す一般移動端末干渉情報（以下、ＭＵＥ干渉情報）を通知する。
【００６３】
ＭＵＥ干渉情報は、例えば、図５に示すように、干渉フラグ、期間干渉フラグ、干渉ＭＵＥ数、干渉ＭＵＥ ＩＤを含む。
【００６４】
干渉フラグ（Ｉｎｔｅｒｆｅｒｅｎｃｅ Ｆｌａｇ）は、時間Ｔの時間間隔において、特定セル１１１Ｂが干渉を受けているか否かを示す。干渉フラグは、ＯＮが設定されている場合に、特定セル１１１Ｂが干渉を受けていることを示し、ＯＦＦが設定されている場合に、特定セル１１１Ｂが干渉を受けていないことを示す。
【００６５】
期間干渉フラグ（Ｏｔｈｅｒ Ｉｎｔｅｒｆｅｒｅｎｃｅ Ｆａｌｇ）は、前回のメッセージ（干渉レポート又はＭＵＥ干渉情報）を送信してから時間Ｔの時間間隔までの間において、特定セル１１１Ｂが干渉を受けているか否かを示す。期間干渉フラグは、ＯＮが設定されている場合に、特定セル１１１Ｂが干渉を受けていることを示し、ＯＦＦが設定されている場合に、特定セル１１１Ｂが干渉を受けていないことを示す。
【００６６】
干渉ＭＵＥ数は、時間Ｔの時間間隔において、特定セル１１１Ｂに干渉を与えているＭＵＥ（以下、干渉ＭＵＥ）の数である。
【００６７】
干渉ＭＵＥ ＩＤは、時間Ｔの時間間隔において、特定セル１１１Ｂに干渉を与えている干渉ＭＵＥを識別する識別子である。
【００６８】
干渉ＭＵＥは、時間Ｔの時間間隔において特定セル１１１Ｂが干渉を受けている場合において、時間Ｔの時間間隔において上りリンク無線リソースが割当てられたＭＵＥである。ＨｅＮＢ１１０Ｂは、ＭｅＮＢ１１０Ａから受信するスケジューリング情報を参照して、干渉ＭＵＥを特定することが可能である。
【００６９】
詳細には、ＨｅＮＢ１１０Ｂは、リソースブロック毎に干渉が生じているか否かを判定可能である。従って、ＨｅＮＢ１１０Ｂは、スケジューリング情報を参照して、干渉が生じているリソースブロックが割当てられているＭＵＥを干渉ＭＵＥとして特定する。
【００７０】
（一般基地局）
以下において、第１実施形態に係る一般基地局について説明する。図６は、第１実施形態に係る一般基地局（ここでは、ＭｅＮＢ１１０Ａ）を示すブロック図である。
【００７１】
図６に示すように、ＭｅＮＢ１１０Ａは、受信部１１５Ａと、送信部１１６Ａと、制御部１１７Ａとを有する。
【００７２】
受信部１１５Ａは、ＵＥ１０（例えば、ＭＵＥ）から上りリンク信号を受信する。受信部１１５Ａは、バックホール・ネットワーク経由で、ＨｅＮＢ１１０Ｂからメッセージ（例えば、干渉レポート又はＭＵＥ干渉情報）を受信する。干渉レポートは、上述したように、特定セル１１１Ｂにおいて干渉が生じている旨を示す。ＭＵＥ干渉情報は、上述したように、時間Ｔの時間間隔においてＭＵＥ１０Ａから送信される上りリンク信号によって特定セル１１１Ｂが受ける干渉を示す。
【００７３】
送信部１１６Ａは、ＵＥ１０（例えば、ＭＵＥ）に下りリンク信号を送信する。送信部１１６Ａは、バックホール・ネットワーク経由で、ＨｅＮＢ１１０Ｂにメッセージ（例えば、スケジューリング情報）を送信する。スケジューリング情報は、上述したように、ＭＵＥに対して時間Ｔの時間間隔において割り当てる上りリンク無線リソースを示す。
【００７４】
制御部１１７Ａは、ＭｅＮＢ１１０Ａの動作を制御する。例えば、制御部１１７Ａは、ＭＵＥに無線リソースを割当てる。制御部１１７Ａは、ＭＵＥ干渉情報に含まれる識別子によって識別される干渉ＭＵＥに対して、特定セル１１１Ｂで用いる周波数とは異なる周波数へのハンドオーバを指示する。詳細には、制御部１１７Ａは、図８及び図１０に示すＭｅＮＢ１１０Ａの動作を制御する。
【００７５】
（特定基地局）
以下において、第１実施形態に係る特定基地局について説明する。図７は、第１実施形態に係る特定基地局（ここでは、ＨｅＮＢ１１０Ｂ）を示すブロック図である。
【００７６】
図７に示すように、ＨｅＮＢ１１０Ｂは、受信部１１５Ｂと、送信部１１６Ｂと、制御部１１７Ｂとを有する。
【００７７】
受信部１１５Ｂは、ＵＥ１０（例えば、ＨＵＥ）から上りリンク信号を受信する。受信部１１５Ｂは、バックホール・ネットワーク経由で、ＭｅＮＢ１１０Ａからメッセージ（例えば、スケジューリング情報）を受信する。
【００７８】
送信部１１６Ｂは、ＵＥ１０（例えば、ＨＵＥ）に下りリンク信号を送信する。送信部１１６Ｂは、バックホール・ネットワーク経由で、ＭｅＮＢ１１０Ａにメッセージ（例えば、干渉レポート又はＭＵＥ干渉情報）を送信する。
【００７９】
制御部１１７Ｂは、ＨｅＮＢ１１０Ｂを制御する。例えば、制御部１１７Ｂは、ＨＵＥに無線リソースを割当てる。詳細には、制御部１１７Ｂは、図８及び図９に示すＨｅＮＢ１１０Ｂの動作を制御する。
【００８０】
（移動通信システムの動作）
以下において、第１実施形態に係る移動通信システムの動作について説明する。図８は、第１実施形態に係る移動通信システム１００の動作を示すシーケンス図である。
【００８１】
図８に示すように、ステップ１０において、ＨｅＮＢ１１０Ｂは、ＭｅＮＢ１１０Ａに対して、特定セル１１１Ｂにおいて干渉が生じている旨を示す干渉レポートを送信（通知）する。
【００８２】
ステップ２０において、ＭｅＮＢ１１０Ａは、ＨｅＮＢ１１０Ｂに対して、ＭＵＥに対して時間Ｔの時間間隔において割り当てる上りリンク無線リソースを示すスケジューリング情報を送信（通知）する。
【００８３】
ステップ３０において、ＨｅＮＢ１１０Ｂは、時間Ｔの時間間隔において特定セル１１１Ｂに干渉を与える干渉ＭＵＥを特定する（干渉ＭＵＥ特定処理）。なお、干渉ＭＵＥ特定処理の詳細については後述する（図９を参照）。
【００８４】
ステップ４０において、ＨｅＮＢ１１０Ｂは、ＭｅＮＢ１１０Ａに対して、時間Ｔの時間間隔においてＭＵＥから送信される上りリンク信号によって特定セル１１１Ｂが受ける干渉を示すＭＵＥ干渉情報を送信（通知）する。
【００８５】
ステップ５０において、ＭｅＮＢ１１０Ａは、ＭＵＥ干渉情報に含まれる識別子によって識別される干渉ＭＵＥに対して、特定セル１１１Ｂで用いる周波数とは異なる周波数へのハンドオーバを指示する（ハンドオーバ処理）。なお、ハンドオーバ処理の詳細については後述する（図１０を参照）。
【００８６】
（特定基地局の動作）
以下において、第１実施形態に係る特定基地局の動作について説明する。図９は、第１実施形態に係るＨｅＮＢ１１０Ｂの動作（干渉ＭＵＥ特定処理）を示すフロー図である。
【００８７】
図９に示すように、ステップ３１０において、ＨｅＮＢ１１０Ｂは、現単位時間が時間Ｔの時間間隔であるか否かを判定する。ＨｅＮＢ１１０Ｂは、判定結果が”ＹＥＳ”である場合に、ステップ３２０の処理に移る。ＨｅＮＢ１１０Ｂは、判定結果が”ＮＯ”である場合に、干渉ＭＵＥ特定処理を終了する。
【００８８】
ステップ３２０において、ＨｅＮＢ１１０Ｂは、時間Ｔの時間間隔で干渉が生じているか否かを判定する。詳細には、ＨｅＮＢ１１０Ｂは、時間Ｔの時間間隔における干渉が所定閾値を超えているか否かを判定する。ＨｅＮＢ１１０Ｂは、判定結果が”ＹＥＳ”である場合に、ステップ３６０の処理に移る。ＨｅＮＢ１１０Ｂは、判定結果が”ＮＯ”である場合に、ステップ３３０の処理に移る。
【００８９】
ステップ３３０において、ＨｅＮＢ１１０Ｂは、前回のメッセージ（例えば、干渉レポート又はＭＵＥ干渉情報）の送信後において干渉が生じていたか否かを判定する。詳細には、ＨｅＮＢ１１０Ｂは、前回のメッセージの送信後において所定閾値を超える干渉が生じていたかを判定する。ＨｅＮＢ１１０Ｂは、判定結果が”ＹＥＳ”である場合に、ステップ３５０の処理に移る。ＨｅＮＢ１１０Ｂは、判定結果が”ＮＯ”である場合に、ステップ３４０の処理に移る。
【００９０】
ステップ３４０において、ＨｅＮＢ１１０Ｂは、干渉フラグにＯＦＦを設定し、期間干渉フラグにＯＦＦを設定する。
【００９１】
ステップ３５０において、ＨｅＮＢ１１０Ｂは、干渉フラグにＯＦＦを設定し、期間干渉フラグにＯＮを設定する。
【００９２】
ステップ３６０において、ＨｅＮＢ１１０Ｂは、ＭＵＥを識別する識別子がスケジューリング情報に含まれているか否かを判定する。ＨｅＮＢ１１０Ｂは、判定結果が”ＹＥＳ”である場合に、ステップ３８０の処理に移る。ＨｅＮＢ１１０Ｂは、判定結果が”ＮＯ”である場合に、ステップ３７０の処理に移る。
【００９３】
ステップ３７０において、ＨｅＮＢ１１０Ｂは、干渉ＭＵＥ数に０を設定し、干渉フラグにＯＮを設定する。
【００９４】
ステップ３８０において、ＨｅＮＢ１１０Ｂは、スケジューリング情報に含まれるＭＵＥを干渉ＭＵＥ数に設定し、スケジューリング情報に含まれるＭＵＥを識別する識別子を干渉ＭＵＥ ＩＤに設定する。
【００９５】
詳細には、ＨｅＮＢ１１０Ｂは、スケジューリング情報を参照して、干渉が生じているリソースブロックが割当てられているＭＵＥを識別する識別子を干渉ＭＵＥ ＩＤに設定する。
【００９６】
このように、ステップ３４０、ステップ３５０、ステップ３７０又はステップ３８０において、ＭＵＥ干渉情報が生成される。
【００９７】
（一般基地局の動作）
以下において、第１実施形態に係る一般基地局の動作について説明する。図１０は、第１実施形態に係るＭｅＮＢ１１０Ａの動作（ハンドオーバ処理）を示すフロー図である。
【００９８】
図１０に示すように、ステップ５１０において、ＭｅＮＢ１１０Ａは、ＭＵＥ干渉情報を受信したか否かを判定する。ＭｅＮＢ１１０Ａは、判定結果が”ＹＥＳ”である場合に、ステップ５２０の処理に移る。ＭｅＮＢ１１０Ａは、判定結果が”ＮＯ”である場合に、ハンドオーバ処理を終了する。
【００９９】
ステップ５２０において、ＭｅＮＢ１１０Ａは、ＭＵＥ干渉情報に含まれる干渉ＭＵＥ数が１以上であるか否かを判定する。ＭｅＮＢ１１０Ａは、判定結果が”ＹＥＳ”である場合に、ステップ５３０の処理に移る。ＭｅＮＢ１１０Ａは、判定結果が”ＮＯ”である場合に、ステップ５４０の処理に移る。
【０１００】
ステップ５３０において、ＭｅＮＢ１１０Ａは、ＭＵＥ干渉情報に含まれる干渉ＭＵＥ ＩＤによって識別される干渉ＭＵＥに対して、特定セル１１１Ｂで用いる周波数とは異なる周波数へのハンドオーバを指示する。
【０１０１】
ステップ５４０において、ＭｅＮＢ１１０Ａは、ＭＵＥ干渉情報に含まれる干渉フラグにＯＮが設定されているか否かを判定する。ＭｅＮＢ１１０Ａは、判定結果が”ＹＥＳ”である場合に、ステップ５５０の処理に移る。ＭｅＮＢ１１０Ａは、判定結果が”ＮＯ”である場合に、ステップ５６０の処理に移る。
【０１０２】
ステップ５５０において、ＭｅＮＢ１１０Ａは、時間Ｔの時間間隔に対応するスケジューリング情報に含まれるＭＵＥのうち、実際に上りリンク信号を送信するＭＵＥを干渉ＭＵＥ候補から除外する。すなわち、ＭｅＮＢ１１０Ａは、スケジューリング情報に含めたＭＵＥのうち、実際に上りリンク信号を送信したＭＵＥが干渉源ではないと判定する。
【０１０３】
なお、干渉ＭＵＥ候補の初期値としては、一般セル１１１Ａにおいてコネクティッド状態の全てのＵＥ１０（ＭＵＥ）が設定される。
【０１０４】
ステップ５６０において、ＭｅＮＢ１１０Ａは、ＭＵＥ干渉情報に含まれる期間干渉フラグにＯＮが設定されているか否かを判定する。ＭｅＮＢ１１０Ａは、判定結果が”ＹＥＳ”である場合に、ステップ５７０の処理に移る。ＭｅＮＢ１１０Ａは、判定結果が”ＮＯ”である場合に、ステップ６００の処理に移る。
【０１０５】
ステップ５７０において、ＭｅＮＢ１１０Ａは、時間Ｔの時間間隔において上りリンク無線リソースが割当てられたＭＵＥのうち、実際に上りリンク信号を送信するＭＵＥを干渉ＭＵＥ候補から除外する。すなわち、ＭｅＮＢ１１０Ａは、時間Ｔの時間間隔において上りリンク無線リソースが割当てられたＭＵＥのうち、実際に上りリンク信号を送信したＭＵＥが干渉源ではないと判定する。
【０１０６】
ステップ５８０において、ＭｅＮＢ１１０Ａは、干渉ＭＵＥ候補が空集合であるか否かを判定する。ＭｅＮＢ１１０Ａは、判定結果が”ＹＥＳ”である場合に、ステップ６１０の処理に移る。ＭｅＮＢ１１０Ａは、判定結果が”ＮＯ”である場合に、ステップ６２０の処理に移る。
【０１０７】
ステップ５９０において、ＭｅＮＢ１１０Ａは、干渉ＭＵＥ候補が空集合であるか否かを判定する。ＭｅＮＢ１１０Ａは、判定結果が”ＹＥＳ”である場合に、ステップ６１０の処理に移る。ＭｅＮＢ１１０Ａは、判定結果が”ＮＯ”である場合に、ステップ６２０の処理に移る。
【０１０８】
ステップ６００において、ＭｅＮＢ１１０Ａは、特定セル１１１Ｂで生じる干渉を抑制する処理（干渉抑制処理）を継続するか否かを判定する。ＭｅＮＢ１１０Ａは、判定結果が”ＹＥＳ”である場合に、ステップ６２０の処理に移る。ＭｅＮＢ１１０Ａは、判定結果が”ＮＯ”である場合に、ハンドオーバ処理を終了する。
【０１０９】
ステップ６１０において、ＭｅＮＢ１１０Ａは、干渉ＭＵＥ候補を設定し直す。すなわち、ＭｅＮＢ１１０Ａは、スケジューリング情報に含めるべきＭＵＥ（干渉ＭＵＥ候補）を設定し直す。
【０１１０】
例えば、ＭｅＮＢ１１０Ａは、一般セル１１１Ａにおいてコネクティッド状態の全てのＵＥ１０（ＭＵＥ）を干渉ＭＵＥ候補として設定する。
【０１１１】
ステップ６２０において、ＭｅＮＢ１１０Ａは、時間Ｔの時間間隔よりも後の所定時間の時間間隔に対応するスケジューリング情報を送信する。
【０１１２】
（作用及び効果）
実施形態では、ＨｅＮＢ１１０Ｂは、ＭｅＮＢ１１０Ａから受信するスケジューリング情報を参照して、所定時間の時間間隔において特定セル１１１Ｂが受ける干渉の干渉源（ＭＵＥ）を特定することができる。また、ＭｅＮＢ１１０Ａは、ＨｅＮＢ１１０Ｂから受信するＭＵＥ干渉情報によって、所定時間の時間間隔において特定セル１１１Ｂに与える干渉の干渉源（ＭＵＥ）を特定することができる。
【０１１３】
[変更例１]
以下において、第１実施形態の変更例１について説明する。以下においては、第１実施形態に対する相違点について主として説明する。
【０１１４】
変更例１において、ＭＵＥ干渉情報は、所定時間の時間間隔において特定セル１１１Ｂに干渉を与えるＭＵＥの識別子（干渉ＭＵＥ ＩＤ）を含む。また、所定時間の時間間隔は、ＭＵＥに上りリンク無線リソースを割り当てるべき複数の単位時間（ここでは、サブフレーム）を含む。所定時間の時間間隔として、時間Ｔの時間間隔が設定されるとともに、時間Ｔの時間間隔よりも後の所定時間の時間間隔が設定される。
【０１１５】
このような前提下において、ＭｅＮＢ１１０Ａは、時間Ｔの時間間隔に対応するＭＵＥ干渉情報に含まれる干渉ＭＵＥ ＩＤによって識別されるＭＵＥに対して、時間Ｔの時間間隔よりも後の所定時間の時間間隔に含まれる複数の単位時間において同じ上りリンク無線リソースを割り当てる。
【０１１６】
ＭｅＮＢ１１０Ａは、時間Ｔの時間間隔よりも後の所定時間の時間間隔に対応するＭＵＥ干渉情報に含まれる識別子によって識別されるＭＵＥに対して、特定セル１１１Ｂで用いる周波数とは異なる周波数へのハンドオーバを指示する。
【０１１７】
変更例１では、時間Ｔの時間間隔に含まれる複数の単位時間毎に、異なるＭＵＥに対して上りリンク無線リソースが割当てられており、ＭＵＥ干渉情報に含まれる干渉ＭＵＥ ＩＤによって識別される複数のＭＵＥのうち、どちらのＭＵＥが特定セル１１１Ｂに干渉を与えているのかが不明なケースを想定している。
【０１１８】
このようなケースにおいて、時間Ｔの時間間隔に対応するＭＵＥ干渉情報に含まれる干渉ＭＵＥ ＩＤによって識別されるＭＵＥに対して、時間Ｔの時間間隔よりも後の所定時間の時間間隔に含まれる複数の単位時間において同じ上りリンク無線リソースを割り当てることによって、特定セル１１１Ｂに干渉を与えるＭＵＥを確実に特定することが可能である。
【０１１９】
ここで、所定時間の時間間隔が複数の単位時間を含む理由は、以下の通りである。具体的には、ＭｅＮＢ１１０ＡとＨｅＮＢ１１０Ｂとの同期が取れていない場合には、ＭＵＥから送信される上りリンク信号は、特定セル１１１Ｂにおいて複数のサブフレームに跨がって干渉を与える可能性が高い。従って、連続する複数の単位時間のスケジューリング情報をＭｅＮＢ１１０ＡからＨｅＮＢ１１０Ｂに通知することによって、特定セル１１１Ｂに与える干渉の干渉源（ＭＵＥ）を特定することを可能とする。但し、このようなケースにおいて、連続する複数の単位時間が互いに異なるＭＵＥに割当てられることも想定されるため、時間Ｔの時間間隔よりも後の所定時間の時間間隔に含まれる複数の単位時間において同じ上りリンク無線リソースが割当てられる。
【０１２０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２１】
実施形態では、一般セルを管理する一般基地局として、ＭｅＮＢ１１０Ａを例示して、特定セルを管理する特定基地局として、ＨｅＮＢ１１０Ｂを例示した。しかしながら、一般セルを管理する一般基地局は、ＭＮＢ２１０Ａであってもよい。また、特定セルを管理する特定基地局は、ＨＮＢ２１０Ｂであってもよい。
【０１２２】
実施形態では、一般セルにおける所定時間（例えば、サブフレームのタイミング）と特定セルにおける所定時間（例えば、サブフレームのタイミング）との同期が取れていることを前提として説明した。しかしながら、実施形態は、これに限定されるものではない。一般セル及び特定セルにおける所定時間は、一般セル及び特定セルに共通する絶対時間で指定されてもよい。
【０１２３】
なお、米国仮出願第６１／５５５２３４号（２０１１年１１月３日出願）の全内容が、参照により、本願明細書に組み込まれている。
【産業上の利用可能性】
【０１２４】
本発明によれば、特定セルに干渉を与える一般移動端末を特定することができる。
【図１】
0005883021.tif 000002
【図２】
0005883021.tif 000003
【図３】
0005883021.tif 000004
【図４】
0005883021.tif 000005
【図５】
0005883021.tif 000006
【図６】
0005883021.tif 000007
【図７】
0005883021.tif 000008
【図８】
0005883021.tif 000009
【図９】
0005883021.tif 000010
【図１０】
0005883021.tif 000011